(57)【特許請求の範囲】
【請求項１】
操作棒の先端に脱着可能に設置され、遠隔操作によって電線から防護管を取り外すための防護管取外工具であって、
前記操作棒を連結可能な連結部と、
連結した前記操作棒の延びる方向を中心とする径方向の外側へ一端が延設されるように前記連結部と一体に設けられ、前記防護管同士の接続箇所の隙間に差し込み可能な先端部を有した差込棒と、
前記差込棒の基部側において連結した前記操作棒の延長側に面して設けられ、前記防護管の側面の一部が嵌合可能な凹溝が前記差込棒の延びる方向に形成されている防護管当接部と
を備えたことを特徴とする防護管取外工具。
【請求項２】
前記差込棒の延びる方向において前記先端部を前側とし前記基部を後側として、前記防護管当接部の端縁のうち後側であり且つ前記凹溝の底側に、後側へ向かって広がるように切欠きが形成されていることを特徴とする請求項１に記載の防護管取外工具。
【請求項３】
前記差込棒と直交する方向に突設され、前記電線の上面に係止可能に下方側が凹形状に形成された係止部を備えたことを特徴とする請求項１又は２に記載の防護管取外工具。
【発明の詳細な説明】
【技術分野】
【０００１】
本発明は、簡易かつ迅速に、遠隔操作によって防護管同士の接続の分離及び電線からの防護管の分離を行う防護管取外工具に関する。
【背景技術】
【０００２】
電柱上に架設された電線の近傍において作業を行う場合、作業者又は作業機器が電線に触れることを防止するために、また、樹木等に近接する電線を保護するために、電線の外周は絶縁材からなる防護管によって覆われる。
【０００３】
一般に、この防護管は可撓性を有する樹脂材により形成されており、長手方向に向かってヒレ状の開閉部を有している。電線に対する脱着作業を行う際には、この開閉部を開いて電線を出し入れする必要がある。
【０００４】
図９は、電線から防護管を取り外す従来の作業について説明する図である。この作業には、顎部の一方をヒレ状の開閉部に差し込むことのできる特殊なヤットコが用いられる。
【０００５】
まず、図９（ａ）に示すように、絶縁性を有する操作棒１０２の先端に取り付けたフック１０４を電線１００に装着されている防護管１０１の上面に引っ掛けて押さえる。続いて、図９（ｂ）に示すように、ヤットコ１０３の顎部１０３ａ、１０３ｂのうち、防護管１０１のヒレ状の開閉部１０１ａに挿入可能な一方の顎部１０３ａをその開閉部１０１ａに差し込む。続いて、図９（ｃ）に示すように、一方の顎部１０３ａが差し込まれた状態で他方の顎部１０３ｂで防護管１０１を把持する。続いて、図９（ｄ）に示すように、フック１０４による押さえ位置を防護管１０１の上面位置から電線１００に直接触れる位置までスライドさせる。そして、図９（ｅ）に示すように、フック１０４で電線１００を押さえたまま、ヤットコ１０３で把持した防護管１０１を上方に移動させて、電線１００から取り外す。
【０００６】
以上のような手順によって、簡易な装着用具を用いて、電線から防護管を取り外すことが可能である。このような技術は、特許文献１に開示されている。
【先行技術文献】
【特許文献】
【０００７】
【特許文献１】特開２００９−２１９３２６号公報
【発明の概要】
【発明が解決しようとする課題】
【０００８】
防護管を最小の力で電線から引き剥がすには、端部を把持して持ち上げるのが最も効率が良い。しかしながら、上記図９に示したような手順では、後工程の電線１００を押さえる手順（図９（ｄ）の工程）へスムーズに移行させるために、ヤットコ１０３の一方の顎部１０３ａを防護管１０１の開閉部１０１ａに差し込む際、フック１０４は防護管１０１の端部寄りの位置を押さえておく必要がある。このため、ヤットコ１０３は防護管１０１の端部から離れた位置を把持せざるを得ない。よって、フック１０４を電線１００側にスライドさせた後、端部から離れた位置を把持したヤットコ１０３を操作して防護管１０１を持ち上げるためには、かなり大きな力を要する。
【０００９】
また、防護管１０１の開閉部１０１ａのうち一方のみをヤットコ１０３によって把持するので、一方側を持ち上げた際に開閉部１０１ａの他方側が追従し易い。すなわち、開閉
部１０１ａの一方側のみを把持した状態で持ち上げると、防護管１０１を電線１００の周りに回転させるような力が生じるので、電線１００が露出する開閉部１０１ａが側方へ回ってしまうことにより、電線１００の離脱が困難になる。このような、電線１００の離脱が困難な状態で、無理にヤットコ１０３で防護管１０１を引き剥がすと、防護管１０１に損傷が生じ易く、繰り返し使用することが難しくなる。
【００１０】
そして、上記図９の手順では、電線１００から防護管１０１を取り外すことは可能であるが、接続された防護管１０１同士の接続を解除して分離させることには適していない。
【００１１】
以上のように、防護管を電線から引き離す際に大きな力を要する場合、その強大な力に耐え得るように、径の太い部材を選択する必要がある。また、支える側についても、径が太く安定した部材を選択するか、又は、安定させるために、支持する工具を多く備える必要がある。
【００１２】
しかし、径の太い部材を採用すると、その分重量が増大するので、遠隔操作には不利である。そして、軽量の工具を多く備えるためには作業員を増やす必要があり、作業効率の低下等を招く。
【００１３】
また、防護管同士の接続の分離に加えて、電線からの防護管の分離作業にも対応させようとすると、それぞれに適した工具を準備する必要があるため、作業が煩雑になる。
【００１４】
そこで、本発明は、防護管の損傷を最小限に抑え、単一の工具で容易に防護管同士の分離と、分離された防護管の電線からの取り外しが可能な防護管取外工具を提供することを目的とする。
【課題を解決するための手段】
【００１５】
上記目的を達成するために、本発明の防護管取外工具は、操作棒の先端に脱着可能に設置され、遠隔操作によって電線から防護管を取り外すための防護管取外工具であって、前記操作棒を連結可能な連結部と、連結した前記操作棒の延びる方向を中心とする径方向の外側へ一端が延設されるように前記連結部と一体に設けられ、前記防護管同士の接続箇所の隙間に差し込み可能な先端部を有した差込棒と、前記差込棒の基部側において連結した前記操作棒の延長側に面して設けられ、前記防護管の側面の一部が嵌合可能な凹溝が前記差込棒の延びる方向に形成されている防護管当接部とを備えたことを特徴とする。
【００１６】
また、本発明の防護管取外工具は、上記構成に加えて、前記差込棒の延びる方向において前記先端部を前側とし前記基部を後側として、前記防護管当接部の端縁のうち後側であり且つ前記凹溝の底側に、後側へ向かって広がるように切欠きが形成されていることを特徴とする。
【００１７】
また、本発明の防護管取外工具は、上記構成に加えて、前記差込棒と直交する方向に突設され、前記電線の上面に係止可能に下方側が凹形状に形成された係止部を備えたことを特徴とする。
【発明の効果】
【００１８】
以上のように、本発明によれば、連結された操作棒の延長方向に面する位置に防護管当接部が設けられているので、防護管の下方から操作棒を突き当てると、防護管当接部に形成された凹溝に防護管の側面の一部が嵌合して安定する。このとき、連結部と一体に設けられている差込棒は、凹溝の形成されている方向と同じ拡径側に延びるように設けられているので、防護管の下方に沿うように配置される。これにより、防護管同士の接続箇所の隙間に先端部を差し込んで防護管当接部を支点として操作棒を回動させると、外側の防護
管を径方向に外すことが可能となる。
【００１９】
また、本発明によれば、上記効果に加えて、防護管当接部の端縁の後側であり且つ凹溝の底側には、後側へ向かって広がるように切欠きが形成されているので、操作棒を後側へ傾ける角度が大きくなるほど、防護管に対する当接位置は、切欠きの後側のより広がった位置へ移行する。これにより、操作棒を後側へ傾けるほど、円筒形の防護管の側面の高く且つ幅の広い位置で当接するので、安定する。
【００２０】
また、本発明によれば、上記効果に加えて、差込棒と交差する方向に突設した係止部の下方側が、電線の上面に係止可能に凹形状に形成されているので、電線の上面に係止させた係止部を支点として操作棒を前側へ回動させると、差込棒の先端部が持ち上がる。これにより、先端部を防護管の管口に差し込んだ状態に配置して操作棒を前側に回動させるだけで、電線から防護管を容易に径方向へ外すことが可能となる。
【図面の簡単な説明】
【００２１】
【図１】本発明の実施の形態に係る防護管取外工具の全体斜視図である。
【図２】図１の防護管取外工具の正面図である。
【図３】図１の防護管取外工具の先端部側から見た側面図である。
【図４】図１の防護管取外工具の平面図である。
【図５】防護管の接続を分離する際の使用状態を示す図である。
【図６】図４の受板周辺の部分拡大図である。
【図７】防護管と受板との接触位置の関係を示す図である。
【図８】電線から防護管を分離する際の使用状態を示す図である。
【図９】従来の防護管取り外し作業の説明図である。
【発明を実施するための形態】
【００２２】
以下、本発明の実施の形態に係る防護管取外工具について図を用いて説明する。
【００２３】
図１は、本実施の形態に係る防護管取外工具１の全体斜視図である。この防護管取外工具１は、接続された２つの防護管の分離と、電線に装着されている防護管の取外しに用いられる工具である。防護管取外工具１は、共用の操作棒の先端が連結できる連結部を有しており、遠隔操作のために用いられる。防護管取外工具１の各部の構成については、この図１と共に、適宜、正面図（図２）、側面図（図３）及び平面図（図４）を参照して説明を行う。
【００２４】
まず、図１の全体斜視図と図２の正面図とを参照して、防護管取外工具１の連結部２の上端には、Ｌ字型に形成された差込棒４が設けられている。差込棒４は、後述する接続状態の防護管同士の隙間や、防護管の管口に差し込むための構成要素である。差込棒４のＬ字型に屈曲形成された基部４ｂの上端側（連結される操作棒の延長側）には、２枚の受板６が翼状の配置で設けられている。この差込棒４の先端部４ａは、マイナスドライバーのように、正面視においてテーパー状に形成されている。
【００２５】
次に、図１の全体斜視図と図３の先端部側から見た側面図とを参照して、２枚の受板６は、断面Ｖ字型に配置されているのが分かる。このように、２枚の受板６によって差込棒４の延びる方向（図１に示した前後方向）に沿って断面Ｖ字型の溝（凹溝）６ａが形成されているので、差込棒４を防護管の下方から当接させると、防護管の下方の円筒面の一部が溝６ａに嵌合して安定する。
【００２６】
これら受板６の下方側には、係止部８が設けられている。係止部８は、差込棒４と直交する方向へ延びるように配置されている。本実施の形態に係る防護管取外工具１では、こ
の係止部８は、側面視において、略Ｖ字型に形成されており、先端が下方に折り曲げられるように角をなして形成されている（屈曲角度θ）。この屈曲形状により下方側に形成された凹状部分において、後述するように、電線の上面に引っ掛けて防護管取外工具１を安定させることが可能となる。具体的には、この屈曲角度θは、水平位置から下方へ少なくとも５度の角をなすように設定するのが望ましい。
【００２７】
続いて、図１の全体斜視図と図４の平面図とを参照して、２枚の受板６には、差込棒４の基部４ｂ側の端縁６ｂのうち、上述のＶ字型の溝６ａの底に近い位置に切欠き６ｃが形成されている。この切欠き６ｃは、２枚の受板６の間に所定の隙間を設けるように形成され、それぞれの角に丸め加工が施されている。図４に示すようにこの切欠き６ｃは差込棒４の屈曲形成箇所の直上の位置に形成されている。
【００２８】
次に、以上のような構成の防護管取外工具１の使用法について説明する。まず、防護管同士の接続を分離する際の使用状態について図５を用いて説明する。
【００２９】
図５は、防護管同士の接続を分離する際の使用状態を示し、（ａ）は防護管取外工具１を所定位置にセットした状態を、（ｂ）は分離されるときの状態を示している。
【００３０】
図５（ａ）に示すように、左側の防護管１０１（雌型）が右側の防護管１０１（雄型）を覆うようにして接続されている。このような防護管１０１同士の接続に対して、まず、防護管取外工具１は、２つの防護管１０１の重なり部分に形成されている隙間に先端部４ａを差し込んだ状態で配置される。一般に、防護管１０１の雌型の接続部は、管口側が僅かに広がるようにラッパ状に形成されている。これに対して、本実施の形態に係る防護管取外工具１の差込棒４の先端部４ａは、上述のようにテーパー状に形成されている。このため、遠隔操作であっても、差込棒４の先端部４ａを容易に隙間に差し込むことができる。
【００３１】
このように差込棒４の先端部４ａを取り外し対象の防護管１０１の管口の内側に引っ掛けることができると、後は、図５（ｂ）に示すように、受板６を支点として操作棒１０２を後方へ回動させることによって、梃子の作用で、防護管１０１は径方向へ容易に外れる。防護管１０１は可撓性を有する部材で形成されているので、径方向の力が加わると、ヒレ状の開閉部１０１ａが開く。
【００３２】
ところで、防護管１０１は、一般にヒレ状の開閉部１０１ａを下方にして電線１００に設置されている。このため、上述のような手順で取り外し作業を行うためには、例えば、遠隔操作用ヤットコなどを用いて、予め開閉部１０１ａを上方に向けるように回転させておく必要がある。
【００３３】
ここで、本実施の形態に係る防護管取外工具１においては、上述のように受板６の後側の端縁６ｂ（図４参照）に丸め加工を施した切欠き６ｃが形成されている。これにより、操作棒１０２を後方へ傾けて差込棒４の先端部４ａが下方へ回動する際、主に受板６の後方の端縁６ｂが支点となるが、この支点は操作棒１０２の後方への回動に伴い、丸め加工が施された切欠き６ｃに沿って後端側へ移動する。
【００３４】
この支点の移動について、図６、７を合わせて説明する。図６は図４に示した平面図における受板６周辺の部分拡大図である。また、図７は、防護管１０１と受板６との接触位置の関係を示す側面図である。なお、図７では、説明の便宜のため、防護管１０１、差込棒４（の基部４ｂ）及び受板６以外の構成については図示を省略している。また、視認が容易になるように、切欠き６ｃの丸め加工が施されている面に斜線を付して示している。
【００３５】
本実施の形態に係る防護管取外工具１では、図５（ａ）の状態に配置した際、防護管１０１の側面が受板６のＶ字型の溝（凹溝）６ａの底付近に接するような構成となっている。この当接状態について図７を参照すると、防護管１０１と受板６との接触点Ａ、Ｂは、斜線で示してある切欠き６ｃの形成されている領域のうち、中央寄りの位置となっているのが分かる。
【００３６】
その一方で、図６を参照すると、後端側へ行くほど、間隔が広がるように、受板６の切欠き６ｃに丸め加工が施されている。
【００３７】
これにより、防護管取外工具１を傾けると、その傾きが大きいほど、防護管１０１と受板６との２つの接触点Ａ、Ｂは離間する。防護管１０１を基準に見ると、防護管取外工具１の傾きが大きいほど、接触点Ａ、Ｂの下方から上方への移動幅が大きくなる。
【００３８】
図７には、受板６から防護管１０１に加わる力の変化を比較するために、便宜的に、２つの異なる傾斜状態における、防護管取外工具１から防護管１０１に加わる圧力を同時に表している（ここでは、これら圧力と上述の接触点Ａ、Ｂとは無関係である。）。傾斜角度が小さいときに防護管１０１に加わる力を圧力Ｐ１、Ｐ２で表し、これよりも傾斜角度が大きい場合を圧力Ｐ１１、Ｐ１２として表している。また、それぞれの圧力Ｐ１、Ｐ２、Ｐ１１、Ｐ１２の水平方向成分を圧力Ｐ１ｘ、Ｐ２ｘ、Ｐ１１ｘ、Ｐ１２ｘとし、垂直方向成分を圧力Ｐ１ｙ、Ｐ２ｙ、Ｐ１１ｙ、Ｐ１２ｙとして表している。
【００３９】
この図７から分かるように、防護管取外工具１の傾斜角を大きくすると、防護管１０１の高さ方向における中心寄りの位置にて受板６で支えることが可能である。
【００４０】
これに加えて、受板６からの垂直抗力によって生じる上記圧力Ｐ１、Ｐ２、Ｐ１１、Ｐ１２は、防護管１０１の高さ方向における中心に近づくほど水平方向成分の割合が多くなる（圧力Ｐ１ｘ＜圧力Ｐ１１ｘ、圧力Ｐ２ｘ＜圧力Ｐ１２ｘ）。
【００４１】
すなわち、防護管取外工具１の角度を大きくするほど、防護管１０１を深く把持することができるとともに、水平方向の把持力（圧力Ｐ１ｘ、Ｐ２ｘ、Ｐ１１ｘ、Ｐ１２ｘ）も増大するので、防護管１０１に当接する支点が安定し、防護管１０１上で受板６の横滑りを防止できる。
【００４２】
一般に、防護管は可撓性を有するため変形し易いことに加えて、作業時は、遠隔操作用のヤットコ等を用いて保持されており、一方から大きな力を加えることが難しい状態にある。よって、取り外しのために操作棒１０２を回動操作する際には、あまり大きな力で防護管１０１に受板６を押し付けることはできないが、本発明に係る防護管取外工具１によれば、大きく傾斜して安定度を失い易い状態において、安定度を増大させるような作用が生じるので、不要に強大な力で防護管１０１を押し付けなくてもよい。
【００４３】
また、防護管１０１は繰り返し利用されるため、取り外し作業において生じる傷などが累積すると、耐久度が低下する恐れがあるが、作業ごとに必要最小限の力で取り外すことができるので、傷の発生を最小限に抑えて耐久度の低下も防止することが可能となる。
【００４４】
次に、電線から防護管を分離する際の使用状態について、図８を用いて説明する。図８は電線１００から防護管１０１を分離する際の使用状態を示し、（ａ）は防護管取外工具１を所定位置にセットした状態を、（ｂ）は防護管１０１が分離されるときの状態を示している。
【００４５】
図５に示した手順で防護管１０１同士の接続を分離した後、防護管１０１を電線１００
から取り外す必要がある。これに対して、本実施の形態に係る防護管取外工具１を、図８（ａ）に示すように、差込棒４の先端部４ａを防護管１０１の管口１０１ｂに差し込み、且つ、係止部８を電線１００に載置するように配置する。そして、係止部８を支点として操作棒１０２を前方側（図５の場合とは逆に差込棒４の先端部４ａ側）へ傾けると、上述の図５の場合とは逆に、差込棒４の先端部４ａが持ち上がるように回動する。これにより、防護管１０１は、内側面から上向きの力を受けて持ち上げられる。
【００４６】
一般に、防護管１０１のヒレ状の開閉部１０１ａは下方へ向けて設置されているので、遠隔操作用ヤットコなどを用いて防護管１０１を捻る必要もなく、単に、防護管取外工具１を傾けるだけで、電線１００がその開閉部１０１ａの間から相対的に外へ露出する。
【００４７】
一旦電線１００の一部が開閉部１０１ａの間から露出すると、小さい力で防護管１０１を電線１００から分離できるので、そのまま差込棒４を防護管１０１の内側面に引っ掛けた状態で防護管取外工具１ごと持ち上げると、少ない作業手順で容易に取り外すことができる。
【００４８】
なお、上記の実施の形態で示した構成は、本発明の一実施形態を例示するものであり、以下に示すような変形例も含まれる。
【００４９】
上記の実施の形態では、受板６と係止部８とを共に備えた構成を例として示した。しかし、少なくとも、受板６を備えていれば、防護管１０１同士の接続を分離することが可能である。また、係止部８のみを備えていれば、防護管１０１を電線１００から分離することが可能である。
【００５０】
また、上記実施の形態においては、差込棒４について、Ｌ字型に曲げ加工を施した金属部材で構成されている例を示したが、接続された防護管１０１同士の隙間や管口１０１ｂに先端部４ａを差し込むことができ、且つ、防護管１０１を分離するための力を伝達できる材質であれば、金属以外で構成されていても構わない。
【００５１】
また、Ｌ字型に限らず、連結部２から直接、遠隔操作棒と直交する方向に突出形成された構成であっても構わない。この場合、受板６は連結部２の上端に設けると作業が安定する。
【００５２】
また、上記実施の形態では、受板６について、２枚の平らな受板６をＶ字型に配置した構成を例として示したが、防護管１０１の円筒形の側面の一部が嵌合できる溝であれば、断面Ｖ字型以外に湾曲面で構成されていても良い。また、１枚の屈曲部材で形成されていても構わない。さらに、差込棒４と一体成型されていても構わない。この係止部８は、下方の凹形状が直進的な屈曲形状となるように湾曲形状に形成していても構わない。
【産業上の利用可能性】
【００５３】
本発明の防護管取外工具によれば、補助的に遠隔操作ヤットコで支える程度で防護管同士の接続の分離、電線からの防護管の取り外しが可能である。よって、輻輳して多くの工具を導入できない環境における作業や、少人数の作業に対して有用である。
【符号の説明】
【００５４】
１      防護管取外工具
２      連結部
４      差込棒
４ａ      先端部
４ｂ      基部
６      受板（防護管当接部）
６ａ      溝（凹溝）
６ｂ      端縁
６ｃ      切欠き
８      係止部
１００      電線
１０１      防護管
１０１ａ      開閉部
１０１ｂ      管口
１０２      （絶縁の）操作棒
１０３      ヤットコ
１０３ａ、１０３ｂ      顎部
１０４      フック
Ｐ１、Ｐ２、Ｐ１１、Ｐ１２      圧力
Ｐ１ｘ、Ｐ２ｘ、Ｐ１１ｘ、Ｐ１２ｘ      圧力（水平成分）
Ｐ１ｙ、Ｐ２ｙ、Ｐ１１ｙ、Ｐ１２ｙ      圧力（垂直成分）
Ａ、Ｂ      接触点
θ      屈曲角度
【図１】
0006750853.tif 000002
【図２】
0006750853.tif 000003
【図３】
0006750853.tif 000004
【図４】
0006750853.tif 000005
【図５】
0006750853.tif 000006
【図６】
0006750853.tif 000007
【図７】
0006750853.tif 000008
【図８】
0006750853.tif 000009
【図９】
0006750853.tif 000010